【事件の表示】
　特願２０１５−２３０７０５号「遊技機」拒絶査定不服審判事件〔平成２９年　６月　１日出願公開、特開２０１７−　９３８８５号〕について、次のとおり審決する。
【結　論】
　本件審判の請求は、成り立たない。
【理　由】
第１　手続の経緯
　本願は、平成２７年１１月２６日の出願であって、令和１年７月２６日付けで拒絶の理由が通知され、令和１年１０月４日に意見書及び手続補正書が提出されたところ、令和２年３月２日付け（送達日：令和２年３月１０日）で拒絶査定がなされ、それに対して、令和２年６月５日に拒絶査定不服審判の請求がなされると同時に手続補正がなされたものである。
第２　補正の却下の決定
［補正の却下の決定の結論］
　令和２年６月５日に提出された手続補正書による補正（以下、「本件補正」という。）を却下する。
［理由］
１　補正の内容
 　本件補正は、特許請求の範囲についてする補正であって、令和１年１０月４日提出の手続補正書によって補正された本件補正前の請求項１に、
「配線層を板厚方向に複数設けた基板を備え、
　前記複数の配線層のうちの第１配線層に、所定方向に配列された複数の端子を設け、
　前記複数の端子から略平行に引き出された複数の配線路を、夫々層間導通部を介して第２配線層側に導通させた
　遊技機において、
　前記複数の配線路を、前記複数の端子から前記複数の層間導通部まで一定間隔の平行直線状に配設し、
　前記複数の層間導通部を、前記複数の端子の配列方向に沿ってジグザグ状に配列した
　ことを特徴とする遊技機。」
とあったものを、
「配線層を板厚方向に複数設けた基板を備え、
　前記複数の配線層のうちの第１配線層に、所定方向に配列された複数の端子を設け、
　前記複数の端子か
ら引
第１
の複数の第２配線路
　遊技機において、
　前記複数の
第１
前記所定方向に直交する第１方向に向けて
前記
　
前記複数の第２配線路は、前記層間導通部から屈折部まで前記第１方向に向けて一定間隔の平行直線状に配設された引き出し部と、前記屈折部から前記第１方向とは異なる第２方向に向けて一定間隔の平行直線状に配設された平行配線部とを含み、
　
複数の前記
前記複数の端子の近傍に該
、
　
前記複数の第２配線路における複数の前記屈折部を略直線状に配列した
　ことを特徴とする遊技機。」
とする補正を含むものである（下線は補正箇所を明示するために合議体が付した。）。
２　補正の適否について
（１）本件補正の概要
　本件補正のうち請求項１についてする補正は、以下のものである。
ア　本件補正前の請求項１における「前記複数の端子から略平行に引き出された複数の配線路を、夫々層間導通部を介して第２配線層側に導通させた」を「前記複数の端子から引き出された複数の第１配線路を、夫々層間導通部を介して第２配線層側の複数の第２配線路に導通させた」とする補正
イ　本件補正前の請求項１における「前記複数の配線路を、前記複数の端子から前記複数の層間導通部まで一定間隔の平行直線状に配設し」を「前記複数の第１配線路を、前記所定方向に直交する第１方向に向けて前記複数の端子から前記層間導通部まで一定間隔の平行直線状に配設し」とする補正
ウ　「前記複数の第２配線路は、前記層間導通部から屈折部まで前記第１方向に向けて一定間隔の平行直線状に配設された引き出し部と、前記屈折部から前記第１方向とは異なる第２方向に向けて一定間隔の平行直線状に配設された平行配線部とを含み」との限定を追加する補正
エ　本件補正前の請求項１における「前記複数の層間導通部を、前記複数の端子の配列方向に沿ってジグザグ状に配列した」を「複数の前記層間導通部を、前記複数の端子の近傍に該複数の端子の配列方向に沿ってジグザグ状に配列し」とする補正
オ　「前記複数の第２配線路における複数の前記屈折部を略直線状に配列した」との限定を追加する補正。
（２）本件補正の目的
　上記アの補正は、本件補正前の請求項１に記載した発明を特定するために必要な事項である「配線路」に関して、夫々層間導通部を介して導通させたものが、本件補正前には「第２配線層側に」とされていたものを、「第２配線層側の複数の第２配線路」とするとともに、第１配線層に所定方向に配列された複数の端子から引き出された複数の「配線路」を「第１配線路」とするものである。上記アの補正により、本件補正前の「前記複数の端子から略平行に引き出された複数の配線路」が、「前記複数の端子から引き出された複数の第１配線路」と補正され、「略平行に」との記載が削除されたが、本件補正後には「前記複数の第１配線路を、前記所定方向に直交する第１方向に向けて前記複数の端子から前記層間導通部まで一定間隔の平行直線状に配設し」との記載もあって、「一定間隔の平行直線状に配設し」という「略平行に引き出された」ことを含む限定がなされていることから、上記アの補正の「略平行に引き出された」との記載の削除は、実質的に「略平行に引き出された」という限定を削除するものではない。
　上記イの補正は、本件補正前の請求項１に記載した発明を特定するために必要な事項である「第１配線層」に関して、第１配線層に設けられる複数の端子から引き出された「前記複数の第１配線路」（本件補正前にあっては「前記複数の配線路」）を「前記複数の端子から前記層間導通部まで一定間隔の平行直線状に配設」する方向について、「前記所定方向に直交する第１方向に向けて」であることを限定するものである。
　上記ウの補正は、本件補正前の請求項１に記載した発明を特定するために必要な事項である「第２配線層」に関して、第２配線層側の「前記複数の第２配線路」が、「前記層間導通部から屈折部まで前記第１方向に向けて一定間隔の平行直線状に配設された引き出し部と、前記屈折部から前記第１方向とは異なる第２方向に向けて一定間隔の平行直線状に配設された平行配線部とを含」むことを限定するものである。
　上記エの補正は、本件補正前の請求項１に記載した発明を特定するために必要な事項である「層間導通部」に関して、「前記複数の端子の近傍に」配列することを限定するものである。
　上記オの補正は、本件補正前の請求項１に記載した発明を特定するために必要な事項である「第２配線層」に関して、「前記複数の第２配線路における複数の前記屈折部を略直線状に配列した」ことを限定するものである。
　また、本件補正前の請求項１に係る発明と本件補正後の請求項１に係る発明の産業上の利用分野及び解決しようとする課題は同一であると認められる。
　以上によれば、本件補正は、特許請求の範囲の減縮を目的とするものである。
（３）新規事項
　本件補正は、本願の願書に最初に添付した明細書、特許請求の範囲又は図面における【０１０３】−【０１０５】及び図１３（ｂ１）、（ｂ２）等の記載に基づくものであり、新たな技術的事項を導入するものではないから、特許法第１７条の２第３項に規定する要件を満たす。
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）についても、以下、検討する。
（１）本願補正発明
　本願補正発明を再掲すると、次のとおりのものである（なお、記号ＡないしＧは、分説するため合議体が付した。）。
「Ａ　配線層を板厚方向に複数設けた基板を備え、
Ｂ　前記複数の配線層のうちの第１配線層に、所定方向に配列された複数の端子を設け、
Ｃ　前記複数の端子から引き出された複数の第１配線路を、夫々層間導通部を介して第２配線層側の複数の第２配線路に導通させた
Ｄ１　遊技機において、
Ｅ　前記複数の第１配線路を、前記所定方向に直交する第１方向に向けて前記複数の端子から前記層間導通部まで一定間隔の平行直線状に配設し、
Ｆ　前記複数の第２配線路は、前記層間導通部から屈折部まで前記第１方向に向けて一定間隔の平行直線状に配設された引き出し部と、前記屈折部から前記第１方向とは異なる第２方向に向けて一定間隔の平行直線状に配設された平行配線部とを含み、
Ｇ　複数の前記層間導通部を、前記複数の端子の近傍に該複数の端子の配列方向に沿ってジグザグ状に配列し、
Ｈ　前記複数の第２配線路における複数の前記屈折部を略直線状に配列した
Ｄ２　ことを特徴とする遊技機。」
（２）引用例
　原査定の拒絶の理由に引用文献１として引用され、本願出願前に頒布され又は電気通信回線を通じて公衆に利用可能となった特開２０１４−１７６４０５号公報（平成２６年９月２５日出願公開、以下「引用例」という。）には、遊技台（発明の名称）に関し、次の事項が図とともに記載されている（なお、下線は引用発明等の認定に関連する箇所を明示するために合議体が付した。以下同様。）。
ア　「【請求項１】　電気回路が少なくとも設けられた基板と、第一の部品と、を備えた遊技台であって、前記基板は、遊技球が少なくとも通過可能な孔を、少なくとも有するものであり、前記第一の部品は、該第一の部品の内側を遊技球が少なくとも通過可能なものであり、前記第一の部品は、遊技球が少なくとも通過可能な球通路を、少なくとも構成するものであり、前記孔は、前記球通路を少なくとも構成するものである、ことを特徴とする遊技台。」
イ　「【技術分野】
【０００１】
　本発明は、
ぱちんこ機やスロットマシン（パチスロ機）、封入式遊技機に代表される遊技台に関する
ウ　「【０１７６】
　基板１７００は、貫通している孔１７０１を有する。孔１７０１は、アタッカー２３４に入球した遊技球７０２が通過する孔である。
【０１７７】
　基板１７００には、ＬＥＤ１７０６ａ、ＬＥＤ１７０６ａを駆動するＬＥＤ駆動回路１７０６ｂおよびＬＥＤ駆動回路１７０６ｂ１、ＬＥＤ駆動回路１７０６ｂ１に対するバイパスコンデンサ１７０ｈなどを実装している。」
エ　「【０２１１】
　
図２５は、図１７に示した基板１７００を示す図であり、（ａ）は正面図（表面側を示す図）であり、（ｂ）は背面図（裏面側を示す図）である
【０２１２】
　基板１７００の表面側においては、基板１７００に設けた孔１７０１（遊技球７０２が通過する孔）の周囲は、ＧＮＤ（接地部）１７０６ｃおよび／または絶縁部１７０６ｄで囲まれている。
【０２１３】
　基板１７００の裏面側においては、基板１７００に設けた孔１７０１（遊技球７０２が通過する孔）の周囲は、ＧＮＤ（接地部）１７０６ｃ、絶縁部１７０６ｄおよび／または配線パターン１７０６ｇで囲まれている。
【０２１４】
　基板１７００には、表面側から裏面側へ貫通して電気的接続を可能とする貫通孔であるｖｉａホール１７０１ａを設けている。
【０２１５】
　基板１７００の裏面側においては、電気回路である抵抗器１７０６ｅやコネクタ１７０６ｆを実装している。
【０２１６】
　なお、基板１７００の両面ともに、図２５（ａ）と同様に、遊技球７０２が通過する孔１７０１の周りはＧＮＤ（接地部）１７０６ｃおよび絶縁部１７０６ｄで囲うようにしてもよい。
【０２１７】
　なお、基板１７００の両面ともに、図２５（ｂ）と同様に、遊技球７０２が通過する孔１７０１の周りに配線パターン１７０６ｇが設けてあってもよい。
【０２１８】
　なお、基板１７００のＬＥＤ１７０６ａが実装されている面が、図２５（ｂ）のように、遊技球７０２が通過する孔１７０１の周辺になっていてもよい。」
オ　「図２５（ａ）
」
カ　「図２５（ｂ）
」
キ　基板１７００の表面側を示す図２５（ａ）から、接地部１７０６ｃ、絶縁部１７０６ｄのほか、符号が付されていないが、基板１７００の裏面側に配線パターン１７０６ｇが設けられている（図２５（ｂ）参照）のと同様に、基板１７００の表面側にも配線パターンが設けられていることが見てとれる（認定事項１）。
　基板１７００の裏面側を示す図２５（ｂ）から、接地部１７０６ｃ、絶縁部１７０６ｄ、配線パターン１７０６ｇが設けられていることが見てとれる（認定事項２）。
ク　ｖｉａホールは基板の表面側から裏面側へ貫通して電気的接続を可能とする貫通孔であり、基板の表面側及び裏面側のそれぞれの対応する位置に存在するものであって、配線パターンの端部等に設けられるとの技術常識を踏まえると、図２５（ａ）及び（ｂ）に示されている配線パターン１７０６ｇの端部等に設けられている黒い点は、図２５（ａ）及び（ｂ）のそれぞれにおいて対応する位置に存在していることから、符号が省略されているものも含めてｖｉａホール１７０１ａであると認められる（認定事項３）。
ケ　一般に、基板に実装される駆動回路等のチップは、チップの辺から通常同じ長さに延びるピンと、基板に設けられた端子状の電極とがハンダ等によって電気的に接続及び固定されることが技術常識である。図２５（ａ）において、ＬＥＤ駆動回路１７０６ｂの２つの長辺から長辺と直交する方向に同じ長さで延びる複数の線分が示されており、上記技術常識によれば、これらの複数の線分は、ＬＥＤ駆動回路１７０６ｂのピンであり、そのピンの直下には、ハンダ等によってピンと電気的に接続及び固定される端子状の電極が基板１７００の表面側に設けられているものと認められる。そうすると、図２５（ａ）及び技術常識から、
基板１７００の表面側に、ＬＥＤ駆動回路１７０６ｂの長辺に沿って設けられたピンに接続される複数の端子状の電極が設けられ（認定事項４）
前記複数の端子状の電極に接続された配線パターンのうちの一部の複数の配線パターンは、前記複数の端子状の電極からｖｉａホール１７０１ａまで平行に引き出され（認定事項５）
前記複数の端子状の電極に接続された配線パターンのうちの一部の複数の配線パターンは、ＬＥＤ駆動回路１７０６ｂの長辺と直交する方向に向けて、前記複数の端子状の電極からｖｉａホールまで一定間隔の平行直線状に設けられ（認定事項６）
複数の前記ｖｉａホールが、前記複数の端子状の電極の近傍に該複数の端子状の電極の配列方向に沿ってジグザグ状に設けられている（認定事項７）
参考図１（図２５（ａ）の拡大図）
　上記アないしケから、引用例には、次の発明が記載されている。なお、ａないしｇについては本願発明のＡないしＧに概ね対応させて付与し、引用箇所の段落番号、図面番号等を併記した。
「ａ　表面側及び裏面側に接地部１７０６ｃ、絶縁部１７０６ｄ、配線パターン１７０６ｇが設けられた基板１７００を備え（図２５（ａ）及び（ｂ）、認定事項１、２）、
ｂ　基板１７００の表面側に、ＬＥＤ駆動回路１７０６ｂの長辺に沿って設けられたピンに接続される複数の端子状の電極が設けられ（図２５（ａ）、認定事項４）、
ｃ’　前記複数の端子状の電極に接続された配線パターンのうちの一部の複数の配線パターンは、前記複数の端子状の電極からｖｉａホール１７０１ａまで平行に引き出された（図２５（ａ）、認定事項３、５）
ｄ１　遊技台において（【０００１】）、
ｅ　前記複数の端子状の電極に接続された配線パターンのうちの一部の複数の配線パターンは、ＬＥＤ駆動回路１７０６ｂの長辺と直交する方向に向けて、前記複数の端子状の電極からｖｉａホールまで一定間隔の平行直線状に設けられ（図２５（ａ）、認定事項３、６）、
ｇ　複数の前記ｖｉａホールが、前記複数の端子状の電極の近傍に該複数の端子状の電極の配列方向に沿ってジグザグ状に設けられている（図２５（ａ）、認定事項３、７）
ｄ２　遊技台。」
（３）対比
　本願補正発明と引用発明とを対比する（見出し（ａ）ないし（ｇ）は、本願補正発明の特定事項ＡないしＧに対応する。）。
（ａ）引用発明の「接地部１７０６ｃ」及び「配線パターン１７０６ｇ」は、本願補正発明の「配線層」に相当する。したがって、引用発明の「ａ　表面側及び裏面側に接地部１７０６ｃ、絶縁部１７０６ｄ、配線パターン１７０６ｇが設けられた基板１７００を備え」ることは、本願補正発明の「Ａ　配線層を板厚方向に複数設けた基板を備え」ることに相当する。
（ｂ）引用発明の「ｂ　基板１７００の表面側に、ＬＥＤ駆動回路１７０６ｂの長辺に沿って設けられたピンに接続される複数の端子状の電極が設けられた」ことは、本願補正発明の「Ｂ　前記複数の配線層のうちの第１配線層に、所定方向に配列された複数の端子を設け」ることに相当する。
（ｄ）引用発明の「遊技台」は、本願補正発明の「Ｄ１　遊技機」及び「Ｄ２　遊技機」に相当する。
（ｅ）引用発明の「ｅ　前記複数の端子状の電極に接続された配線パターンのうちの一部の複数の配線パターンは、ＬＥＤ駆動回路１７０６ｂの長辺と直交する方向に向けて、前記複数の端子状の電極からｖｉａホールまで一定間隔の平行直線状に設けられ」ることは、本願補正発明の「Ｅ　前記複数の第１配線路を、前記所定方向に直交する第１方向に向けて前記複数の端子から前記層間導通部まで一定間隔の平行直線状に配設し」たことに相当する。
（ｇ）引用発明の「ｇ　複数の前記ｖｉａホールが、前記複数の端子状の電極の近傍に該複数の端子状の電極の配列方向に沿ってジグザグ上に設けられている」ことは、本願補正発明の「Ｇ　複数の前記層間導通部を、前記複数の端子の近傍に該複数の端子の配列方向に沿ってジグザグ状に配列し」たことに相当する。
　そうすると、本願補正発明と引用発明とは、
「Ａ　配線層を板厚方向に複数設けた基板を備え、
Ｂ　前記複数の配線層のうちの第１配線層に、所定方向に配列された複数の端子を設け、
Ｄ１　遊技機において、
Ｅ　前記複数の第１配線路を、前記所定方向に直交する第１方向に向けて前記複数の端子から前記層間導通部まで一定間隔の平行直線状に配設し、
Ｇ　複数の前記層間導通部を、前記複数の端子の近傍に該複数の端子の配列方向に沿ってジグザグ状に配列し、
Ｄ２　遊技機。」
である点で一致し、以下の点で相違する。
・相違点１（特定事項Ｃ）
「複数の端子から引き出された複数の第１配線路」（引用発明における「前記複数の端子状の電極に接続された配線パターンのうちの一部の複数の配線パターン」）について、本願補正発明では、「夫々層間導通部を介して第２配線層側の複数の第２配線路に導通させた」のに対して、引用発明では、夫々ｖｉａホール１７０１ａまで引き出されているものの、第２配線層側（裏面側）の複数の第２配線路に導通させることについては特定されていない点。
・相違点２（特定事項Ｆ）
　本願補正発明は、「前記複数の第２配線路は、前記層間導通部から屈折部まで前記第１方向に向けて一定間隔の平行直線状に配設された引き出し部と、前記屈折部から前記第１方向とは異なる第２方向に向けて一定間隔の平行直線状に配設された平行配線部とを含み」との構成を有しているのに対して、引用発明は、当該構成を有していない点。
・相違点３（特定事項Ｈ）
　本願補正発明は、「前記複数の第２配線路における複数の前記屈折部を略直線状に配列した」との構成を有しているのに対して、引用発明は、当該構成を有していない点。
（５）判断
　ア　相違点１について
　引用例の【０２１５】、図２５（ａ）及び（ｂ）には、（図２５（ａ）における）「ＬＥＤ駆動回路１７０６ｂ」（の上側）の長辺に沿って設けられたピンが、基板１７００の表面側に設けられた端子状の電極、配線パターン、ｖｉａホール１７０１ａ、基板の裏面側に設けられた配線パターン、基板の裏面側に設けられた抵抗器１７０６ｅ、ｖｉａホール１７０１ａ、基板の表面側に設けられた配線パターンを経てＬＥＤ１７０６ａに接続されている回路構成が記載されている（以下、「引用例記載の回路構成１」という。）。
　引用発明において「ＬＥＤ駆動回路１７０６ｂ」のピンのうち、どのピンをＬＥＤを駆動するために用いるか、ＬＥＤを駆動するために用いられるピンからＬＥＤに接続するまでの配線パターン等をどのようなものとするかは当業者が適宜決定しうる設計的事項であるから、図２５（ａ）における「ＬＥＤ駆動回路１７０６ｂ」の２つの長辺に沿って設けられたピンのうち、下側の長辺に沿って設けられたピンについて、ＬＥＤを駆動するために用いてもよいことは自明であって、引用例記載の回路構成１のごとく、基板１７００の表面側に設けられた端子状の電極、配線パターン、ｖｉａホール１７０１ａ、基板の裏面側に設けられた配線パターン、基板の裏面側に設けられた抵抗器１７０６ｅ、ｖｉａホール１７０１ａ、基板の表面側に設けられた配線パターンを経てＬＥＤ１７０６ａに接続することは当業者が容易に想到できたことである。そうすると、ＬＥＤ駆動回路１７０６ｂの下側の長辺に沿って設けられたピンに接続される複数の端子状の電極に接続されている配線パターンは、それぞれｖｉａホール１７０１ａを介して基板の裏面側に設けられた配線パターンに導通することとなり、この「基板の裏面側に設けられた配線パターン」は、相違点１に係る本件補正発明の構成の「第２配線層側の複数の第２配線路」に相当するから、引用発明において、上記相違点１に係る本願補正発明の特定事項となすことは、当業者が容易に想到できたことである。
イ　相違点２及び相違点３について
　引用例の図２５（ａ）及び（ｂ）を参照すると（特に以下の参考図２（図２５（ｂ）の拡大図）を参照。）、ＬＥＤ駆動回路１７０６ｂの上側の長辺に沿って設けられたピンと、基板１７００の表側の端子状の電極及び配線パターン、ｖｉａホール１７０１ａを介して導通される基板１７００の裏面側の複数の配線パターンの一部は、ｖｉａホール１７０１ａから屈折部まで第１の方向（図２５（ｂ）では左上方向）に向かっておおよそ一定間隔の平行直線状の部分と、屈折部から第１の方向とは異なる第２の方向（図２５（ｂ）では左方向）に向かっておおよそ一定間隔の平行直線状の部分を有していることが示されている（以下、「引用例記載の回路構成２」という。）。上記アで検討したように、図２５（ａ）における「ＬＥＤ駆動回路１７０６ｂ」の下側の長辺に沿って設けられたピンを、ＬＥＤを駆動するために用いるべく、引用例記載の回路構成１のごとく構成するに際して、基板１７００の裏面側の複数の配線パターンを、引用例記載の回路構成２のごとく構成することは当業者が容易に想到できたことであり、配線パターンをどのような形状に構成するか、特に、おおよそ一定間隔の平行直線状とするか、一定間隔の平行直線状とするかは、当業者が適宜選択しうる設計的事項であるから、ｖｉａホール１７０１ａから屈折部まで第１の方向に向かって一定間隔の平行直線状の部分と、屈折部から第１の方向とは異なる第２の方向に向かって一定間隔の平行直線状の部分を有するよう配線パターンを構成することに格別の困難はない。
参考図２（図２５（ｂ）の拡大図）
（６）本願補正発明の奏する効果は、引用発明の奏する効果、引用例に記載された事項から、予測することができた程度のものである。
（７）請求人の主張について
　請求人は、審判請求書の「（３）本願発明が特許されるべき理由」の「ハ）本願発明と引用文献との対比」において、以下のとおり主張する。
（主張１）「ここで、本願発明のように層間導通部を互いの干渉を避けるべくジグザグ状に配列する場合、図１３（ａ２）のように直線状に配列する場合と比べて配線引き出し方向（第１方向）に対する層間導通部の配置領域の幅を小さくできるため、それら層間導通部をなるべく端子に近い位置に設けることで（上記Ｇ）、第２配線層側の最初の屈折部までの距離をより短くすることが可能となります。
　また、第２配線路の平行配線部を任意のピッチで任意の方向に向けて配線すべく、屈折部を略直線状に配列する場合（上記Ｈ）、上述のように層間導通部をジグザグ状に配列することにより、屈折部を、層間導通部の近くで任意の方向に配列することができるため、第１配線層側の端子から第２配線層側の平行配線部に至る配線エリアを最小化できるという利点もあります。」
（主張２）「これに対し、引用文献１には、複数の端子から引き出された複数の第１配線路を、夫々層間導通部を介して第２配線層側に導通させるとともに、それら複数の層間導通部をジグザグ状に配列する点については開示されておりますが、端子からジグザグ状の層間導通部までの第１配線路を一定間隔の平行直線状に配設したものではなく、またジグザグ状の層間導通部を端子の近傍に配置するものでもありません。また引用文献１には、層間導通部を介して接続される第２配線路側の構成は開示されておりません。即ち、引用文献１に記載の発明は上記Ｅ〜Ｈの構成を備えていない点で本願発明とは相違します。」
　主張１について検討する。上記（５）アで検討したように、図２５（ａ）における「ＬＥＤ駆動回路１７０６ｂ」の２つの長辺に沿って設けられたピンのうち、下側の長辺に沿って設けられたピンについても、上側の長辺に沿って設けられたピンと同様に、ＬＥＤを駆動するために用いることとした場合、引用発明において、複数のｖｉａホールは、本願補正発明の「層間導通部」と同じく、複数の端子状の電極の近傍に該複数の端子状の電極の配列方向に沿ってジグザグ上に設けられていることから、主張１の
「それら層間導通部をなるべく端子に近い位置に設けることで（上記Ｇ）、第２配線層側の最初の屈折部までの距離をより短くすることが可能」
「屈折部を、層間導通部の近くで任意の方向に配列することができるため、第１配線層側の端子から第２配線層側の平行配線部に至る配線エリアを最小化できる」
との効果と同様の効果が得られると認められる。そして、当該効果は、上記（６）で検討したように当業者が予測することができた程度のものである。
　主張２について検討する。上記（３）（ｅ）で検討したように、（ｅ）引用発明の「ｅ　前記複数の端子状の電極に接続された配線パターンのうちの一部の複数の配線パターンは、ＬＥＤ駆動回路１７０６ｂの長辺と直交する方向に向けて、前記複数の端子状の電極からｖｉａホールまで一定間隔の並行直線上に設けられ」ることは、本願補正発明の「Ｅ　前記複数の第１配線路を、前記所定方向に直交する第１方向に向けて前記複数の端子から前記層間導通部まで一定間隔の平行直線状に配設し」たことに相当することから、主張２における引用発明についての「端子からジグザグ状の層間導通部までの第１配線路を一定間隔の平行直線状に配設したものではなく、またジグザグ状の層間導通部を端子の近傍に配置するものでもありません」との主張は根拠がない。
　また、「引用文献１には、層間導通部を介して接続される第２配線路側の構成は開示されておりません。即ち、引用文献１に記載の発明は上記Ｅ〜Ｈの構成を備えていない点で本願発明とは相違します。」との主張については、上記で相違点１ないし相違点３について検討したように、層間導通部を介して接続される第２配線路側の構成は、当業者が容易に想到することができたものである。
　したがって、上記請求人の主張１及び主張２を採用することはできない。
（８）まとめ
　以上のように、本願補正発明は、当業者が、引用発明及び引用例に記載された事項に基いて容易に発明をすることができたものである。
　したがって、本願補正発明は、特許法第２９条第２項の規定により特許出願の際独立して特許を受けることができないものである。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記第２のとおり却下されたので、本願の請求項１に係る発明は、令和１年１０月４日提出の手続補正書により補正された特許請求の範囲の請求項１に記載されたとおりのものであるところ、その請求項１に係る発明（以下、「本願発明」という。）は、上記第２〔理由〕１に本件補正前の請求項１として記載した以下のとおりのものである（本願補正発明と同一の構成については同じ符号Ａ等を付し、本願補正発明と同一でない構成については符号にダッシュ（’）を付した。）。
「Ａ　配線層を板厚方向に複数設けた基板を備え、
Ｂ　前記複数の配線層のうちの第１配線層に、所定方向に配列された複数の端子を設け、
Ｃ’　前記複数の端子から略平行に引き出された複数の配線路を、夫々層間導通部を介して第２配線層側に導通させた
Ｄ１　遊技機において、
Ｅ’　前記複数の配線路を、前記複数の端子から前記複数の層間導通部まで一定間隔の平行直線状に配設し、
Ｇ’　前記複数の層間導通部を、前記複数の端子の配列方向に沿ってジグザグ状に配列した
Ｄ２　ことを特徴とする遊技機。」
２　原査定の拒絶の理由の概要
　　原査定の拒絶の理由は、概略、以下を含むものである。
（新規性）この出願の平成３１年４月１９日提出の手続補正書により補正された請求項１に係る発明は、その出願前に日本国内又は外国において、頒布され又は電気通信回線を通じて公衆に利用可能となった引用文献１に記載された発明であるから、特許法第２９条第１項第３号に該当し、特許を受けることができない。
＜引用文献等一覧＞
１.特開２０１４−１７６４０５号公報
３　引用文献に記載された事項
　原査定の拒絶の理由に引用された引用文献１（上記「第２　３（２）」における「引用例」に対応する。）の記載事項及び引用発明の認定については、前記「第２　３（２）引用例」に記載したとおりである。
４　対比
　本願発明と引用発明とを対比する（見出し（ａ）ないし（ｇ）は、本願発明の特定事項ＡないしＧに対応する。）。
（ａ）引用発明の「接地部１７０６ｃ」及び「配線パターン１７０６ｇ」は、本願発明の「配線層」に相当する。したがって、引用発明の「ａ　表面側及び裏面側に接地部１７０６ｃ、絶縁部１７０６ｄ、配線パターン１７０６ｇが設けられた基板１７００を備え」ることは、本願発明の「Ａ　配線層を板厚方向に複数設けた基板を備え」ることに相当する。
（ｂ）引用発明の「ｂ　基板１７００の表面側に、ＬＥＤ駆動回路１７０６ｂの長辺に沿って設けられたピンに接続される複数の端子状の電極が設けられた」ことは、本願発明の「Ｂ　前記複数の配線層のうちの第１配線層に、所定方向に配列された複数の端子を設け」ることに相当する。
（ｃ’）引用発明の「ｃ’　前記複数の端子状の電極に接続された配線パターンのうちの一部の複数の配線パターンは、前記複数の端子状の電極からｖｉａホール１７０１ａまで平行に引き出された」ことは、本願発明の「Ｃ’　前記複数の端子から略平行に引き出された複数の配線路を、夫々層間導通部を介して第２配線層側に導通させた」ことに相当する。
（ｄ）引用発明の「遊技台」は、本願発明の「Ｄ１　遊技機」及び「Ｄ２　遊技機」に相当する。
（ｅ）引用発明の「ｅ　前記複数の端子状の電極に接続された配線パターンのうちの一部の複数の配線パターンは、ＬＥＤ駆動回路１７０６ｂの長辺と直交する方向に向けて、前記複数の端子状の電極からｖｉａホールまで一定間隔の並行直線状に設けられ」ることは、本願発明の「Ｅ’　前記複数の配線路を、前記複数の端子から前記複数の層間導通部まで一定間隔の平行直線状に配設し」たことに相当する。
（ｇ）引用発明の「ｇ　複数の前記ｖｉａホールが、前記複数の端子状の電極の近傍に該複数の端子状の電極の配列方向に沿ってジグザグ上に設けられている」ことは、本願発明の「Ｇ’　前記複数の層間導通部を、前記複数の端子の配列方向に沿ってジグザグ状に配列した」ことに相当する。
　以上のとおりであるから、本願発明と引用発明とは、
「Ａ　配線層を板厚方向に複数設けた基板を備え、
Ｂ　前記複数の配線層のうちの第１配線層に、所定方向に配列された複数の端子を設け、
Ｃ’　前記複数の端子から略平行に引き出された複数の配線路を、夫々層間導通部を介して第２配線層側に導通させた
Ｄ１　遊技機において、
Ｅ’　前記複数の配線路を、前記複数の端子から前記複数の層間導通部まで一定間隔の平行直線状に配設し、
Ｇ’　前記複数の層間導通部を、前記複数の端子の配列方向に沿ってジグザグ状に配列した
Ｄ２　遊技機。」
である点で一致し、相違するところはない。
　　　
　したがって、本願発明は、引用発明と同一であり、引用例に記載された発明である。
第４　むすび
　以上のとおり、本願発明は、引用例に記載された発明であるから、特許法第２９条第１項第３号に該当し、特許を受けることができない。
　よって、結論のとおり審決する。